(57)【要約】【課題】農作物栽培施設圃場の内部及び周辺における害虫の効率的な捕捉による害虫の侵入抑制技術を提供し、農作物の害虫による被害を未然に防止する。【解決手段】農作物栽培圃場の内部及び周囲に、害虫が好む植物に殺虫効果を付与させたおとり植物を複数配置し、侵入した害虫が作物に寄生する前におとり植物に寄生させて殺虫し、施設内への害虫の侵入及び作物への寄生を防止する。【選択図】図１
2006180805.tif 000002
【特許請求の範囲】
【請求項１】
害虫が好む植物に殺虫効果を付与させたおとり植物を農作物栽培圃場の内部または周囲に配置し、侵入した当該害虫が作物に寄生する前に当該おとり植物に寄生させて殺虫し、施設内への害虫の侵入及び作物への寄生を抑制し、農作物の被害を未然に防ぐことを特徴とする害虫の殺虫方法。
【請求項２】
当該害虫がアブラムシ類であって、当該おとり植物が豆科植物、ナス科植物及びキク科植物から選ばれる１種以上である請求項１に記載の殺虫方法。
【請求項３】
当該害虫がコナジラミ類であって、当該おとり植物が豆科植物及びキク科植物から選ばれる１種以上である請求項１に記載の殺虫方法。
【請求項４】
当該害虫がスリップス類であって、当該おとり植物がマメ科植物、クマツヅラ科植物、キク科植物、及びベンケイソウ科植物から選ばれる１種以上である請求項１に記載の殺虫方法。
【請求項５】
当該害虫がハモグリバエ類であって、当該おとり植物が、豆科植物、ウリ科植物及びナス科植物から選ばれる１種以上である請求項１に記載の殺虫方法。
【請求項６】
当該害虫がカメムシ類であって、当該おとり植物が豆科植物、好ましくは大豆またはキササゲから選ばれる１種以上である請求項１に記載の殺虫方法。
【請求項７】
当該おとり植物に、根から吸収される殺虫剤で殺虫効果を付与する方法であって、当該害虫がコナジラミ類、アブラムシ類及びスリップス類であるときは、当該殺虫剤として有機リン剤及びネオニコチノイド剤、好ましくはオルトラン粒剤及びアクタラ粒剤から選ばれる1種以上を；当該害虫が甲虫類であるときは、当該殺虫剤として合成ピレスロイド剤、好ましくはフォース粒剤を；当該害虫がハモグリバエ類であるときは、当該殺虫剤としてネオニコチノイド剤、好ましくはダントツ粒剤を；それぞれ単独あるいは複数の前記殺虫剤を同時に土壌処理又は液剤の土壌灌注処理することを特徴とする請求項１〜６に記載の殺虫方法。
【請求項８】
当該おとり植物を、農作物栽培圃場の外部、出入り口、内部周囲、畦上、畦間、施設栽培ベンチ下、ベンチ上及び天窓下から選ばれる１箇所以上に配置することを特徴とする請求項１〜７に記載の殺虫方法。
【請求項９】
前記請求項１〜８の殺虫方法に使用するための害虫の殺虫装置であって、害虫が好む植物に殺虫効果を付与させたおとり植物を、容器内に1種類又は数種類同時に植え付け、農作物栽培圃場の内部または周囲に配置されることによって、複数の害虫を同時に殺虫することを特徴とする害虫の殺虫装置。
【請求項１０】
前記請求項９に記載の殺虫装置において、害虫を誘引殺虫するために、容器の内部又は外部に、害虫を誘引する黄色、赤外又はブルーブラックの光熱源、害虫を付着させて殺虫する黄色又は青色の粘着板あるいは粘着性フィルムをさらに設けることを特徴とする害虫の誘引殺虫装置。
【発明の詳細な説明】
【技術分野】
【０００１】
本発明は農作物を害虫の被害から保護するための害虫の殺虫方法及び装置に関するものである。
【背景技術】
【０００２】
従来から、農作物に発生し被害をもたらす害虫の防除は、多くの場合化学農薬を用いて行われている。近年、化学農薬を減らす目的から防虫ネット、有色蛍光灯及び紫外線除去フィルムなどを用いて圃場への害虫の侵入を阻害し、被害を未然に防ぐ方法が行われるようになった（特許文献１及び２）。また、果樹栽培では、フェロモンを用いてチャバネアオカメムシを、殺虫成分アセタミプリド剤を処理したナスに集合させ、殺虫する方法が提案されている（特許文献３）。
【特許文献１】特開２００３−２９９４３４号公報
【特許文献２】特開平８−４７３６１号公報
【特許文献３】特開２００４−１４３１１１号公報
【発明の開示】
【発明が解決しようとする課題】
【０００３】
多くの害虫は農作物圃場に飛翔あるいは徘徊して侵入する。農作物栽培施設内には、その開口部を通じて飛翔し侵入することが多い。防虫ネットを張っても、ネット目合い以下の大きさの害虫は容易に侵入する。また、わずかな隙間や開閉時の短時間のうちにも、コナジラミ類など微小な害虫は侵入してしまう。また、黄色蛍光灯を利用することにより大型のタバコガ、オオタバコガおよびハスモンヨトウなど夜蛾の侵入は阻止できるが、逆に、アブラムシ類、スリップス類およびハモグリバエ類などを圃場内に誘引し、呼び込んでしまうという欠点がある。
【０００４】
さらに、施設栽培では、出入り口や側窓に目合いの細かいネットを張ることができるが、気温の上昇を避けるために天窓には目合いの細かいネットを張ることができない。このため天窓には目合いの大きい４mm程度の防虫ネットを張ることが多い。しかし、このような大きな目合いのネットを使用すると、コナジラミ類およびアブラムシ類などの微小な害虫が容易に侵入してしまう。
【０００５】
作物栽培施設内は、害虫にとって温度、湿度とも好適な条件であり、餌は十分であるため、侵入した害虫は収穫が終わるまで外部に飛去することは少なく、むしろ増加する一方である。このため、大型の害虫のみならず、微小な害虫に対しても、その侵入を未然に防いで害虫を施設内に侵入させないことが極めて重要である。
【０００６】
一般的に施設内の温度は野外より高いため、害虫は、朝夕はこの暖かい温度に誘引されて施設の周辺に集まる。従って、まず、この周辺に集まった害虫を殺虫することが必要である。次に、施設内に害虫が侵入し、圃場に侵入してしまったとしても、当該害虫が栽培作物に寄生する前に殺虫する必要がある。例えば、トマトに寄生する害虫シルバーリーフコナジラミは、黄化葉巻病ウイルスを媒介するが、ウイルスを保持した虫が１頭でも施設に侵入すれば、栽培しているトマトの３００株が発病する。これを阻止するには、害虫の侵入を未然に防止することが最も重要となり、また、仮に侵入してしまった後でも、害虫シルバーリーフコナジラミがトマトに寄生する前に、捕獲し殺虫する必要がある。
【０００７】
コナジラミ類、アブラムシ類、スリップス類およびハモグリバエ類などの微小な害虫には、カメムシ類や鱗翅目害虫のようなフェロモン剤による誘引を利用した殺虫技術は適用できない。フェロモン剤を利用する場合には、害虫のおとり植物に対する嗜好性はさほど重要ではないが、フェロモン剤を利用せずおとり植物のみを用いて誘引する場合は、周囲にある植物よりもおとり植物に対する害虫の嗜好性が高い必要がある。このように、おとり植物のみを用いて害虫を誘引する場合は、おとり植物に対する害虫の嗜好性を十分に考慮することが重要になる。
【０００８】
また、コナジラミ類、アブラムシ類、スリップス類およびハモグリバエ類などの微小な害虫は、黄色や青色、さらには黄色蛍光灯、赤外線灯あるいはブルーブラック灯等の光に集まる性質がある。上述した、害虫の嗜好性の高いおとり植物の利用に加えて、このように誘引性の高い色を利用した、高精度の害虫の誘殺技術を開発する必要がある。このように、農作物栽培施設圃場内への侵入害虫数を減らし、化学農薬の散布回数を削減するとともに、害虫による甚大な被害を抑制する技術が求められている。
【課題を解決するための手段】
【０００９】
本発明は上記問題点を解決するためになされたものであって、害虫が作物栽培施設内に侵入する前及び侵入後であっても作物への寄生前に、殺虫効果を付与した害虫の嗜好性が高いおとり植物を利用して、害虫を殺虫し、当該害虫による農作物被害を未然に防ぐことを目的とする。また、おとり植物と、害虫を誘引する色及び光熱とを組み合わせた害虫殺虫装置を作物栽培施設内外の適所に配置して、さらに強力に害虫を誘引殺虫する方法および当該装置を提供することをも目的とする。
【００１０】
本発明の害虫の殺虫方法及び装置により、農作物栽培施設圃場内への侵入害虫数を減らし、化学農薬の散布回数を削減するとともに、害虫による作物の甚大な被害を抑制することができる。本発明の害虫の殺虫方法及び装置は、例えば、施設で栽培される野菜類、特にイチゴ、ナス、ピーマン、メロン、キュウリ、トマト、ネギ及びホーレンソウなどの農作物を保護するために使用でき、殺虫の対象となる害虫は、コナジラミ類、スリップス類、ハモグリバエ類及びアブラムシ類などが挙げられる。しかしながら、本発明は上記の農作物の保護及び対象害虫の防除に限定されるものではない。
【００１１】
上記目的を達成するための、本発明の害虫の殺虫方法は、害虫が好む植物に殺虫効果を付与させたおとり植物を農作物栽培圃場の内部または周囲に配置し、侵入した当該害虫が作物に寄生する前に当該おとり植物に寄生させて殺虫し、施設内への害虫の侵入及び作物への寄生を抑制し、農作物の被害を未然に防ぐことを特徴とするものである。おとり植物は、圃場の内部とその周囲の両方に設置することもできるし、あるいは、いずれかに設置することもできる。
【００１２】
また、本発明の害虫の殺虫方法は、上記の方法において、害虫がアブラムシ類、コナジラミ類、スリップス類、ハモグリバエ類などの微小な害虫であっても、施設内への害虫の侵入及び作物への寄生を抑制し、農作物の被害を未然に防ぐことを特徴とする。害虫が好む植物に殺虫効果を付与させたおとり植物としては、例えば、当該害虫がアブラムシ類の場合は、インゲンなどの豆科植物、ナスなどのナス科植物、及びノボロギクなどのキク科植物から選ばれる１種以上を使用できる。害虫がコナジラミ類である場合は、当該おとり植物としてインゲンなどの豆科植物、及びヨモギ類、スプレーギク、ノボロギクなどのキク科植物から選ばれる１種以上を使用できる。害虫がスリップス類である場合は、当該おとり植物として、インゲン、白クローバー又は赤クローバーなどのマメ科植物、バーベナなどのクマツヅラ科植物、ローマンカモミールなどのキク科植物及びカランコエなどのベンケイソウ科植物から選ばれる１種以上を使用できる。害虫がハモグリバエ類である場合は、当該おとり植物として、インゲンなどの豆科植物、ウリなどのウリ科植物及びナスなどのナス科植物から選ばれる１種以上を使用できる。害虫がカメムシ類である場合は、当該おとり植物として、豆科植物、好ましくは大豆またはキササゲから選ばれる１種以上を使用できる。
【００１３】
また、本発明の害虫の殺虫方法は、上記の方法において、根から吸収される殺虫剤で、おとり植物に殺虫効果を付与することができる。殺虫剤は、その単独あるいは複数を同時に土壌処理又は液剤の土壌灌注処理することで、おとり植物の根から吸収され、殺虫効果を付与する。複数の殺虫剤を同時に処理するため、殺虫効果が高く、また、農薬を植物体に上から散布する場合とは異なり、このように植物の根から吸収される殺虫剤を使用することで、害虫の天敵昆虫が接近してきたときでも、当該天敵昆虫に影響を与えることがない。例えば、害虫ヒゲナガアブラムシ類およびハナアザミウマ類には、殺虫剤として有機リン剤、好ましくはオルトラン粒剤を使用できる。害虫モモアカアブラムシまたはワタアブラムシには、ネオニコチノイド剤、好ましくはアクタラ粒剤を使用でき、モスピラン粒剤またはベストガード粒剤も有効に使用できる。コガネムシ類やハムシ類などの甲虫類害虫には、合成ピレスロイド剤、好ましくはフォース粒剤を使用できる。その他のスリップス類およびアブラムシ類には、ネオニコチノイド剤、好ましくはアルバリン粒剤を使用できる。害虫コナジラミ類またはハモグリバエ類には、ネオニコチノイド剤、好ましくはダントツ粒剤を使用することができる。
【００１４】
また、本発明の害虫の殺虫方法は、上記の方法において、当該おとり植物を、圃場の外周、出入り口、内部周囲、畦上、畦間、施設栽培ベンチ下、ベンチ上、又は天窓下などの害虫が通過しやすいところ、侵入し集まりやすいところに配置し、作物への寄生を有効に防止することを特徴とする。おとり植物の設置場所は、上記のいずれか単独を選んで配置しても、あるいは、複数の場所を組み合わせて配置してもよい。
【００１５】
また、本発明は、上記の害虫殺虫方法に使用するための害虫の殺虫装置であって、害虫が好む植物に殺虫効果を付与させたおとり植物を、容器内に1種類又は数種類同時に植え付け、農作物栽培圃場の内部または周囲に配置されることによって、複数の害虫を同時に殺虫することを特徴とする害虫の殺虫装置を提供する。おとり植物を容器内に設置した当該殺虫装置は、農作物栽培圃場の内部または周囲の適切な場所に配置することで、害虫を有効に殺虫することができる。
【００１６】
また、本発明は、上記の害虫殺虫方法に使用するための害虫の殺虫装置において、容器の内部又は外部に、夜間に害虫を寄せ付ける黄色、赤外またはブルーブラックの光及びこれによる熱源、昼間に害虫を誘引する黄色または青色の粘着板または粘着性フィルム乃至ロールをさらに設けることで、より強力に害虫を誘引殺虫する装置を提供する。おとり植物に加えて、害虫を誘引するこれらの色、光及び熱を利用し、昼夜、低温期を問わず確実に害虫を殺虫することができる。
【００１７】
本発明の害虫の殺虫方法及び装置は、上記した作物および対象害虫ばかりでなく、多くの作物および害虫でも適用することが可能である。
【発明の効果】
【００１８】
本発明の害虫の殺虫方法によれば、害虫が好む植物に殺虫効果を付与させたおとり植物を農作物栽培圃場の内部または周囲に配置し、侵入した該害虫が作物に寄生する前におとり植物に寄生させて殺虫することにより、農作物の被害を未然に防ぐという効果を発揮する。本発明の方法によれば、対象とする害虫の種類にあわせて、複数種類のおとり植物を用いることにより、複数の害虫を同時に殺虫できる。また、おとり植物を備えた本発明の殺虫装置を農作物栽培圃場の内部または周囲に配置し、本発明の害虫の殺虫方法を実施することによっても同様の効果が得られる。尚、本発明の殺虫装置には、害虫を誘引する光熱源や粘着物質をさらに備えることができる。
【発明を実施するための最良の形態】
【００１９】
以下、本発明の実施形態につき、図面を併用して詳細に説明する。
本発明は、図１に示すように、容器またはプランター１１に培地土壌１２を入れて、おとり植物A１４、おとり植物B１５、おとり植物C１６などの複数の異なるおとり植物を播種または移植して育成するものである。おとり植物は対象とする害虫の種類によってその種類や配置する数を変更することが可能である。培地土壌１２の表面土壌に、殺虫剤（化学農薬）１３を処理し、おとり植物に吸収させて殺虫効果を付与させる。殺虫剤が液剤である場合は、土壌灌注処理をすることができる。また、殺虫剤は、１種類を使用することもできるし、必要に応じて２種類または３種類、あるいはそれ以上の種類を処理することもできる。
【００２０】
植物は灌水の必要があるため、図１のように、灌水チューブを備えた灌水装置１９を配置し、排水孔２１を容器又はプランター１１の底に設けることができる。さらに、その下には、灌水液を通じて処理した殺虫剤１３が容器又はプランター１１の外に排出されることを防ぐため排水容器２０を取り付けることができる。おとり植物１４乃至１６を吸汁した害虫１７は、即効的に死滅し、容器またはプランター１１の土壌１２の表面あるいはその近くに落下して死虫１８となる。死滅した害虫を確認するために黒いシートを敷くと見分けやすい。このようにして、害虫が好む植物に殺虫効果を付与させたおとり植物を、農作物栽培圃場の内部または周囲に配置することにより、侵入した害虫が作物に寄生する前におとり植物に寄生させて殺虫し、施設内への害虫の侵入及び作物への寄生を抑制し、農作物の被害を未然に防ぐことができる。
【００２１】
図２は、おとり植物を農作物栽培施設圃場の内部または周囲に配置した上面概略図である。おとり植物１４乃至１６は、作物栽培圃場２２の内部または出入り口２４などの外側周辺に配置することができる。また、施設内部においては施設壁面に近い周囲、栽培ベンチ又は畦上２３、作物間および畦間などに配置することができる。
【００２２】
図３は、おとり植物を農作物栽培施設圃場の内部または周囲に配置した正面概略図である。施設の天窓２６のような開口部の近くにおとり植物14を配置して、侵入した害虫１７を誘引し殺虫することができる。また、栽培用ベンチ２３の下や施設外周に、おとり植物とともに、黄色や青色の粘着板２８を配置することもできる。このようにおとり植物と粘着板を併用することで、近寄ってくる害虫１７を粘着板２８で誘殺する一方、粘着板２８で誘殺できなかった害虫１７をおとり植物１４に寄生させて殺虫することができ、施設内への害虫の侵入及び作物への寄生を抑制し、農作物の被害を未然に防ぐことができる。
【００２３】
図４は、本発明の殺虫方法に使用される害虫誘殺装置の概略図である。本発明の殺虫方法の使用にあたり、かかる装置を農作物栽培施設圃場の内部または周囲に配置することで害虫を有効に殺虫することができる。おとり植物装置３３の上には、光灯およびこれによる熱源３１(黄色または赤外またはブルーブラック)を設置し、その背面または上面に黄色や青色粘着性のテープ（フィルム・ロール）２９や板３０を配置することができる。光灯、熱源またはおとり植物に誘引された害虫は、粘着板にトラップされるか、あるいはおとり植物を吸汁して殺虫剤により死亡する。1つの容器に複数種のおとり植物を同時に植え付けることにより、複数の害虫を殺虫することができる。また、おとり植物に加えて害虫を誘引する色を放つ光熱源や粘着物質を配置することで害虫をより強力に誘引殺虫することができる。
【００２４】
以上の形態によって発揮される効果を明らかにするため、試験例を以下に記載する。
【実施例】
【００２５】
（試験例１）
表１に示す各種の作物・植物をプランターに移植して栽培し、同時に殺虫剤（化学農薬）として、オルトラン粒剤６ｇ／株およびモスピラン粒剤４ｇ／株を土壌処理した。２日間管理した後、温室内に設置した。各作物・植物の下には黒色のシートを敷き、７日間に死んで落下した全害虫を調べ、アブラムシ類、スリップス類、コナジラミ類、その他に分類した。
【表１】
2006180805.tif 000003
【００２６】
表１の通り、害虫アブラムシ類は、特にインゲン、キクに多く寄生したことがわかった。また、害虫スリップス類は特にバーベナ（クマツヅラ科）、キク、ローマンカモミール、ベンケイソウに多く寄生し、害虫コナジラミ類は特にインゲン、キクに多く寄生したことがわかった。その他の害虫にはハモグリバエが含まれていた。
これらの結果から、各害虫に共通するおとり植物としてはインゲンが最も適していることがわかった。また、キク科雑草もおとり植物として優れた効果を発揮することがわかった。さらに、ナスでも平均して比較的多くの各害虫が死んでいたことから、おとり植物としての使用可能性が示された。
また、コナジラミ類に分類されるシルバーリーフコナジラミではおとり植物として大豆が最も適しており、カメムシ類ではおとり植物として豆科植物、好ましくは大豆またはキササゲが最も適しており、スリップス類ではバーベナ（クマツヅラ科）、ローマンカモミールおよびベンケイソウが最も適していた。
従って、おとり植物は、豆科、キク科、ナス科、ウリ科およびその他の特異性のある植物を選択して３〜４種類で構成することができることがわかった。
【００２７】
（試験例２）
おとり植物として、インゲン及びナスを使用し、オルトラン粒剤、アルバリン粒剤、モスピラン粒剤、ベストガード粒剤及びダントツ粒剤の各種殺虫剤（化学農薬）を土壌処理した。処理後、おとり植物株をゴース布で囲み、アブラムシ類、スリップス類、コナジラミ類およびマメハモグリバエ（表中では「マメハモ」と略記する）の各々１０頭の害虫をその中に放し、３日後に死虫数を数えた。結果を表２に示す。
【表２】
2006180805.tif 000004
【００２８】
おとり植物であるインゲンに処理した殺虫剤のうち、害虫アブラムシ類にはオルトラン粒剤、アルバリン粒剤及びダントツ粒剤による殺虫効果が高いことがわかった。また、害虫スリップス類には、オルトラン粒剤及びダントツ粒剤による殺虫効果が高く、害虫コナジラミ類には、アルバリン粒剤、モスピラン粒剤およびダントツ粒剤による殺虫効果が高かった。害虫マメハモグリバエに対しては、ダントツ粒剤による殺虫効果が高かった。また、モスピラン粒剤およびベストガード粒剤は、各々の害虫に平均して高い効果を示した。
次に、おとり植物であるナスでは、害虫アブラムシ類にはオルトラン粒剤、ベストガード粒剤及びダントツ粒剤による殺虫効果が高いことがわかった。また、害虫スリップス類には、オルトラン粒剤による殺虫効果が高く、害虫コナジラミ類には、モスピラン粒剤、ベストガード粒剤及びダントツ粒剤による殺虫効果が高かった。害虫マメハモグリバエに対しては、ベストガード粒剤及びダントツ粒剤による殺虫効果が高かった。オルトラン粒剤は特にアブラムシに対して効果が認められた。
これらの結果から、おとり植物に殺虫剤（化学農薬）、特に各種粒剤を処理しておけば寄生した害虫は死亡することが明らかになった。同一の粒剤を処理しても植物によって現れる効果が異なるので、植物にあった薬剤を選択し、また、複数の殺虫剤を処理することが有効であることが示された。
【００２９】
（試験例３）
作物毎に殺虫剤を変えるのは困難なため、試験例２で使用した殺虫剤の２つを組み合わせて試験を行った。おとり植物としてインゲンを使用し、２ｇの(1)オルトラン粒剤に、複数の殺虫剤（化学農薬）(2)アルバリン粒剤、(3)モスピラン粒剤、(4)ベストガード粒剤、および(5)ダントツ粒剤を各々２ｇ追加して土壌処理した。処理後、インゲン株に各々ゴース布を被覆し、その中にアブラムシ類、スリップス類、コナジラミ類、マメハモグリバエ各１０頭を放し、３日後に死虫数を調べた。結果を表３に示す。
オルトラン粒剤とダントツ粒剤を組み合わせて処理することにより、いずれの対象害虫にも、高い殺虫効果を付与できることが示された。
【表３】
2006180805.tif 000005
【００３０】
（試験例４）
コガネムシ類やハムシ類などの甲虫類害虫を防除するため、合成ピレスロイド剤であるフォース粒剤をオガコ堆肥に入れた土壌を容器に入れ、おとり植物としてインゲンを栽培した。このおとり植物であるインゲンをイチゴ苗栽培圃場に２０鉢置き、コガネムシ類およびハムシ類の防除効果を調べた。結果を表４に示す。
この結果、無処理区では、鉢の中にコガネムシ幼虫の発生が認められ、根を食害したため、イチゴ苗の生育が停止した。また、ハムシ類およびその他の害虫（ヨトウムシ）の発生も認められた。一方、おとり植物を置いた処理区では、害虫の全く発生は認められなかった。また、ハムシによる害もフォース粒剤処理区では全く認められなかった(表４)。
【表４】
2006180805.tif 000006
【００３１】
（試験例５）
オルトラン粒剤及びダントツ粒剤で殺虫効果を付与したインゲン、ノボロキク、およびナスから構成されるおとり植物を使って作成したおとり植物装置を、トマトハウスの内部と外部に、１０アール当たりハウス内に３０個、ハウス周囲に１０個配置した。ハウス内の東、中央、西側に、害虫に対する黄色粘着トラップを設置し、各々の害虫の黄色粘着板への誘殺数を調べた。この結果、無処理区に比較し、処理区でのいずれにおいても害虫数が少なかった。特にコナジラミ類に対する抑制効果が著しかった(表５)。
【表５】
2006180805.tif 000007
【００３２】
（試験例６）
１０アールのハウスの施設外にのみ、上記試験例５と同じおとり植物装置４０個を配置し、ハウス内で同様にして粘着板での誘殺数を調べた。表５と表６を比較するとわかる通り、ハウス内の害虫誘殺数は減少傾向が見られた(表６)。
【表６】
2006180805.tif 000008
【００３３】
（試験例７）
次に、上記試験例５と同じ殺虫効果を付与したおとり植物を使ったおとり植物装置を、施設内の通路と出入り口に２０個、施設外の周囲に２０個配置し、また、おとり植物の直上に黄色粘着板を配置した。このような状態を７日間保ち、ハウス内の東、中央、西側に黄色粘着トラップを設置し、各々の害虫の黄色粘着板への誘殺数を調べた。この結果、無処理区に比較してハウス内の誘殺数は著しく少なく、高い害虫侵入抑制効果を示した(表７)。
【表７】
2006180805.tif 000009
【００３４】
（試験例８）
白色灯、黄色灯、赤外線灯およびブルーブラック灯をハウス内の高さ１mの位置に設置した。この灯の背面に大きさが１ｍ四角の白色の粘着性フィルムを張り、３日間昼夜点灯した。この後、粘着性フィルムに誘殺された害虫の数を調べた。結果を表８に示す。
この結果、無処理区では害虫は殆ど誘殺されなかった。白色灯に誘殺された微小害虫も少なかった。しかし、黄色灯は著しく多く、赤外線灯およびブルーブラック灯にも多数誘殺された。特に、ブルーブラック灯はハモグリバエの誘殺数が多かった。また、白色灯には害虫以外の蛾が多数誘殺された(表８)。
【表８】
2006180805.tif 000010
【００３５】
（試験例９）
図４に示す害虫誘殺装置において、黄色粘着ロール、黄色光および熱源、およびおとり植物を組み合わせた装置をトマトハウス内の東側と中央に設置した。２４時間後に、黄色粘着ロール２０ｃｍ当たりに誘殺された害虫とおとり植物に付着して死亡している害虫の数を調べた。
この結果、粘着板のみに誘殺された虫数に比べ、捕虫装置には多数の微小害虫が誘殺されたことがわかった(表９)。
【表９】
2006180805.tif 000011
【００３６】
（試験例１０）
トマトハウスにおいて、ベンチ下１０個、出入り口１０個、通路３２個、周囲１０個、および天窓に５個、上記試験例５と同じおとり植物装置を配置し、粘着板を出入り口、株間、天窓下、圃場周囲に設置した。７日間この状態を保ち、黄色粘着板をトマト株の付近に吊し、微小害虫の誘殺数を調べた。この結果、おとり植物装置と粘着板を組み合わせた場合の、ハウス内の害虫の誘殺数は著しく少なく、害虫侵入抑制効果は著しく高かった(表１０)。
【表１０】
2006180805.tif 000012
【図面の簡単な説明】
【００３７】
【図１】農作物栽培施設圃場におけるおとり植物の配置による害虫の殺虫方法を示す概略図である。
【図２】農作物栽培施設圃場の内部及び周囲におけるおとり植物の配置を示す上面概略図である。
【図３】農作物栽培施設圃場の内部及び周囲におけるおとり植物の配置を示す正面概略図である。
【図４】本発明の殺虫方法に使用される害虫誘殺装置の概略図である。
【符号の説明】
【００３８】
１１  容器・プランター
１２  培地土壌
１３  殺虫剤（化学農薬）
１４  おとり植物Ａ
１５  おとり植物Ｂ
１６  おとり植物Ｃ
１７  害虫
１８  死虫
１９  灌水装置
２０  排水容器
２１  排水孔
２２  作物栽培圃場
２３  栽培ベンチ又は畦
２４  出入り口
２５  栽培施設
２６  天窓
２７  作物
２８  粘着板
２９  黄色・青色粘着テープ
３０  黄色・青色粘着板
３１  光熱源
３２  電源
３３  おとり植物装置
【図１】
2006180805.tif 000013
【図２】
2006180805.tif 000014
【図３】
2006180805.tif 000015
【図４】
2006180805.tif 000016